(57)【要約】【課題】小型化して占有面積を小さくするとともに、携帯して使用されるテレビジョン受像機や可動式のテレビジョン受像機に対しても、無線通信用の装置を別途設けることなく、映像受信信号を選局して復調したデジタル信号を供給することのできる映像受信チューナ及び映像受信装置を提供する。【解決手段】デジタル変調された映像受信信号を増幅し、その増幅した信号より１つのチャンネルの信号を選局するフロントエンド部３と、フロントエンド部３で選局された信号を復調するデジタル復調回路部４を有する映像受信チューナ１において、デジタル復調回路部４により復調されたデジタル信号を無線信号に変調する再変調回路部５と、再変調回路部５からの無線信号をアンテナ７を介して送信する送信回路部６を、フロントエンド部３とデジタル復調回路部４とともに１つの筐体内に設ける。【選択図】      図１
2005039395.tif 000002
【特許請求の範囲】
【請求項１】
デジタル変調された映像受信信号を増幅し、その増幅した信号より１つのチャンネルの信号を選局するフロントエンド部と、該フロントエンド部で選局された信号を復調するデジタル復調回路部を有する映像受信チューナにおいて、
前記デジタル復調回路部により復調されたデジタル信号を無線信号に変調する再変調回路部と、該再変調回路部からの無線信号をアンテナを介して送信する送信回路部を、前記フロントエンド部とデジタル復調回路部とともに１つの筐体内に設けたことを特徴とする映像受信チューナ。
【請求項２】
デジタル変調された映像受信信号を増幅し、その増幅した信号より１つのチャンネルの信号を選局するフロントエンド部と、該フロントエンド部で選局された信号を復調するデジタル復調回路部を有する映像受信チューナにおいて、
前記フロントエンド部を前記映像受信信号を増幅する増幅部と所望のチャンネルを選局するために外部より与えられる制御信号から復調したチャンネル制御信号に基づいてチャンネル選局する選局部とから構成し、前記デジタル復調回路部により復調されたデジタル信号を無線信号に変調するとともに与えられた前記制御信号を前記チャンネル制御信号に復調して前記選局部に与える再変調／復調回路部と、該再変調／復調回路部からの無線信号をアンテナを介して送信するとともに該アンテナを介して前記制御信号を受信する送受信回路部を、前記フロントエンド部とデジタル復調回路部とともに１つの筐体内に設けたことを特徴とする映像受信チューナ。
【請求項３】
デジタル変調された映像受信信号をチャンネル選局して復調する映像受信チューナにおいて、
前記映像受信信号を増幅する増幅部と該増幅部で増幅された信号より所望のチャンネルを選局するために外部より与えられる制御信号から復調したチャンネル制御信号に基づいてチャンネル選局する選局部とから成るフロントエンド部と、前記選局部で選局された信号を復調するデジタル復調回路部と、該デジタル復調回路部により復調されたデジタル信号を無線信号に変調するとともに与えられた前記制御信号を前記チャンネル制御信号に復調して前記選局部に与える再変調／復調回路部と、該再変調／復調回路部からの無線信号をアンテナを介して送信するとともに該アンテナを介して前記制御信号を受信する送受信回路部とから構成されたモジュールを、複数個並列に前記映像受信信号が入力される１つの入力端子に接続するとともに１つの筐体内に収めたことを特徴とする映像受信チューナ。
【請求項４】
少なくとも１つの前記モジュールにより復調される映像受信信号の復調前の変調方式は、他の前記モジュールにより復調される映像受信信号の復調前の変調方式と異なることを特徴とする請求項３に記載の映像受信チューナ。
【請求項５】
前記再変調／復調回路部が前記デジタル復調回路部により復調されたデジタル信号を無線信号に変調する変調方式は、前記映像受信信号の復調前の変調方式と異なることを特徴とする請求項２または請求項３に記載の映像受信チューナ。
【請求項６】
前記再変調／復調回路部が前記デジタル復調回路部により復調されたデジタル信号を無線信号に変調する際に用いる搬送波の周波数帯は、２．４ＧＨｚ帯、若しくは、５ＧＨｚ帯であることを特徴とする請求項２または請求項３に記載の映像受信チューナ。
【請求項７】
前記デジタル復調回路部と再変調／復調回路部とが１チップの集積回路から成ることを特徴とする請求項２または請求項３に記載の映像受信チューナ。
【請求項８】
前記再変調／復調回路部が前記デジタル復調回路部により復調されたデジタル信号を無線信号に変調する際に用いる搬送波の周波数チャンネルは、前記デジタル復調回路部が選局した映像受信信号のチャンネルに応じた所定の周波数チャンネルであることを特徴とする請求項２または請求項３に記載の映像受信チューナ。
【請求項９】
請求項１〜請求項８のいずれかに記載の映像受信チューナと該映像受信チューナに電源を供給する電源ユニットから成ることを特徴とする映像受信装置。
【請求項１０】
請求項１〜請求項８のいずれかに記載の映像受信チューナと該映像受信チューナに電源を供給する電源ユニットを１つのケースに収めて成る映像受信装置において、
前記ケースの１つの面を、映像受信信号が供給されるアンテナ端子が設けられた平面上に接触させたときに、前記アンテナ端子と前記映像受信チューナに映像受信信号を入力する入力端子とが嵌合するように、前記入力端子を前記ケースの１つの面上に設けたことを特徴とする映像受信装置。
【請求項１１】
前記入力端子とアンテナ端子とを嵌合させた状態で前記ケースを前記平面上に保持させる保持手段を設けたことを特徴とする請求項１０に記載の映像受信装置。
【発明の詳細な説明】
【０００１】
【発明の属する技術分野】
本発明は、衛星放送、ケーブルテレビジョン放送、デジタル地上波放送等のデジタル変調された映像信号を受信した映像受信信号を選局、復調してテレビジョン受像機に伝送する映像受信チューナ及び映像受信装置に関するものであり、特に、テレビジョンジョン受像機の設置場所の変更を容易にし、また、テレビジョンジョン受像機を移動させながら視聴することを可能にする小型の映像受信チューナ及び映像受信装置に関するものである。
【０００２】
【従来の技術】
近年、ケーブルテレビジョン（ＣＡＴＶ）放送や衛星放送、また、地上波放送において、デジタル放送が普及している。従来より、例えば、アパート、マンション等の集合住宅や一戸建て住宅等でこれらのデジタル放送を視聴する際には、視聴したい部屋にデジタル放送された映像受信信号を取り出すためのアンテナ端子を設置し、このアンテナ端子に同軸ケーブル等の伝送線を介して、建造物の屋上等に設置した受信アンテナからの映像受信信号、若しくは、外部のＣＡＴＶシステムから配信される映像受信信号が伝送されるようになっている。
【０００３】
そして、このアンテナ端子に接続された映像受信チューナにより所望のチャンネルの映像受信信号を選局して復調し、復調された映像受信信号は映像受信チューナに接続されたテレビジョン受像機から映像や音声として出力される。図７は、このような従来の映像受信チューナの電気的構成を示すブロック図である。図７において、１は映像受信チューナを示す。映像受信チューナ１は、Ｆ接線（入力端子）２、フロントエンド部３、デジタル復調回路部４から成り、フロントエンド部３とデジタル復調回路部４は、１つの筐体に収められている。また、Ｆ接線２は前記筐体の表面に装着されている。
【０００４】
視聴する部屋の壁等に設けられたアンテナ端子（不図示）に同軸ケーブル等の伝送線を介してＦ接線２が接続され、Ｆ接線２から映像受信信号が入力される。そして、Ｆ接線２に内部で接続されたフロントエンド部３により、入力された映像受信信号が増幅され、その増幅された映像受信信号から予め設定されたチャンネルが選局される。更に、デジタル復調回路部４により、選局されたチャンネルの映像受信信号がベースバンドのデジタルデータに復調される。
【０００５】
このとき、デジタル復調回路部４により復調されたデジタルデータは、受信した映像受信信号の種類によって１０〜１６ビットのパラレルのデジタル信号として出力される。例えば、ＣＡＴＶ放送の場合には、ＩＦ（中間周波数）信号を１０ビットのＡ／Ｄコンバータでデジタル化し、デジタルＢＳ放送の場合には、Ｉ／Ｑ出力の２つの出力をそれぞれ６〜８ビットのＡ／Ｄコンバータでデジタル化するので、１２〜１６ビットのデジタル信号となる。そして、このデジタル信号は多芯ケーブル等の信号線やコネクタ等を介して、図示しないテレビジョン受像機に供給され、このテレビジョン受像機から、供給されたデジタル信号に基づく映像情報や音声情報が出力される。
【０００６】
しかしながら、携帯して使用されるテレビジョン受像機や、可動式のテレビジョン受像機の場合、ケーブル等で引き回すことは困難であり、この問題を解決するため、映像受信チューナ１に無線送受信装置を接続して無線で前記デジタル信号を送信する方法がある。
【０００７】
また、屋内の端末装置と外部ネットワークとをＣＡＴＶ網を介して接続し、相互に送受信されるデータの中継を行うための情報中継装置であって、前記端末装置から無線にて送信されるデータを中継して外部ネットワーク側へ送出するとともに外部ネットワークからＣＡＴＶ網を介して伝送されてきたデータを無線にて前記端末装置へ送信するためのアンテナを備えた無線中継器と、該無線中継器とＣＡＴＶ網との間に接続されるケーブルモデムとを１つのケースに収納した情報中継装置がある（例えば、特許文献１参照）。
【０００８】
また、無線回線を介して移動局に情報を伝送する情報伝送システムにおいて、前記無線回線から情報を受信して記憶する伝送情報記憶手段と、前記移動局が設置された移動体の軌道上の通過点でその移動局に前記伝送情報記憶手段に記憶された情報を無線伝送する送信手段とを有する中継局を備え、前記移動局には、前記送信手段によって無線伝送された情報を復元して前記移動体内に出力する出力手段を備えた情報伝送システムもある（例えば、特許文献２参照）。
【０００９】
【特許文献１】
特開２００２―３７４２６０号公報
【特許文献２】
特開平５−３０００７０号公報
【００１０】
【発明が解決しようとする課題】
しかしながら、図７に示すような従来の映像受信チューナは、上述したように、出力されるパラレルのデジタル信号のビット数に応じた信号線が必要であり、ＩＣ化して小型化を進めたとしても、この信号線の引き回しが制約となって、映像受信チューナの占有面積を小さくするための小型化ができないという問題があった。また、図７に示すフロントエンド部３やデジタル復調回路部４は、通常、映像受信チューナ１のメイン基板（不図示）上に構成されている。そのため、デジタル復調回路部４からの十数本の信号線からなるデジタル信号をこのメイン基板から外部に取り出すために、複数のコネクタピンを有するコネクタがメイン基板上及び筐体上に必要となり、狭ピッチのコネクタを使用したとしても、やはり小型化を阻害する要因となっていた。また、これらのコネクタや信号線が、コストの上昇を招く要因にもなっていた。
【００１１】
また、携帯して使用されるテレビジョンジョン受像機や可動式のテレビジョン受像機に対応して、映像受信チューナに無線送受信装置を接続して無線で前記デジタル信号を送信する場合においては、この別途設ける無線送受信装置の占有面積が新たに必要となるうえ、接続用のケーブルやコネクタ等が映像受信チューナ側に必要となるので映像受信チューナを小型化することができないという問題があった。
【００１２】
また、特許文献１に記載の従来技術では、屋内の端末装置と外部ネットワークをＣＡＴＶ網を介して接続するための情報中継器を容易に設置することができるが、この情報中継器は、衛星放送、地上波放送等からの映像受信信号に対応したものではないので、これらの映像受信信号を復調する場合には、別途、映像受信チューナを設置する必要があった。
【００１３】
また、特許文献２に記載の従来技術では、移動体が伝送情報で変調された受信波が送信される無線回線にアクセス不可能な軌道上を移動している場合においても、その伝送情報を軌道上の通過点で無線伝送することはできるが、前記伝送情報は一旦記憶された後に伝送されるので、時間的な遅れが生じるという問題があった。また、伝送情報を記憶する装置や、記憶された伝送情報の送信制御をする制御部が必要であり、構成が複雑になるという問題があった。
【００１４】
本発明は、上記の点に鑑み、小型化して占有面積を小さくするとともに、携帯して使用されるテレビジョン受像機や可動式のテレビジョン受像機に対しても、無線通信用の装置を別途設けることなく、また、時間的に遅延することなく、映像受信信号を選局、復調したデジタル信号を供給することのできる映像受信チューナ及び映像受信装置を提供することを目的とする。
【００１５】
【課題を解決するための手段】
上記目的を達成するために本発明は、デジタル変調された映像受信信号を増幅し、その増幅した信号より１つのチャンネルの信号を選局するフロントエンド部と、該フロントエンド部で選局された信号を復調するデジタル復調回路部を有する映像受信チューナにおいて、前記デジタル復調回路部により復調されたデジタル信号を無線信号に変調する再変調回路部と、該再変調回路部からの無線信号をアンテナを介して送信する送信回路部を、前記フロントエンド部とデジタル復調回路部とともに１つの筐体内に設けたものである。
【００１６】
このようにすると、前記デジタル信号を無線で送信するための無線送受信機を新たに設ける必要がなく、前記デジタル信号の引き回しを最小限に抑えた上で無線送信できるので、携帯して使用されるテレビジョン受像機や可動式のテレビジョン受像機に対応した映像受信チューナを小型化することができる。
【００１７】
また、例えば、デジタル変調された映像受信信号を増幅し、その増幅した信号より１つのチャンネルの信号を選局するフロントエンド部と、該フロントエンド部で選局された信号を復調するデジタル復調回路部を有する映像受信チューナにおいて、前記フロントエンド部を前記映像受信信号を増幅する増幅部と所望のチャンネルを選局するために外部より与えられる制御信号から復調したチャンネル制御信号に基づいてチャンネル選局する選局部とから構成し、前記デジタル復調回路部により復調されたデジタル信号を無線信号に変調するとともに与えられた前記制御信号を前記チャンネル制御信号に復調して前記選局部に与える再変調／復調回路部と、該再変調／復調回路部からの無線信号をアンテナを介して送信するとともに該アンテナを介して前記制御信号を受信する送受信回路部を、前記フロントエンド部とデジタル復調回路部とともに１つの筐体内に設けると良い。
【００１８】
このようにすると、携帯して使用されるテレビジョン受像機や可動式のテレビジョン受像機に対応して、映像受信信号のチャンネル選局を無線で行えるとともに、選局して復調したデジタル信号を無線で送信できる映像受信チューナを小型化することができる。
【００１９】
また、例えば、デジタル変調された映像受信信号をチャンネル選局して復調する映像受信チューナにおいて、前記映像受信信号を増幅する増幅部と該増幅部で増幅された信号より所望のチャンネルを選局するために外部より与えられる制御信号から復調したチャンネル制御信号に基づいてチャンネル選局する選局部とから成るフロントエンド部と、前記選局部で選局された信号を復調するデジタル復調回路部と、該デジタル復調回路部により復調されたデジタル信号を無線信号に変調するとともに与えられた前記制御信号を前記チャンネル制御信号に復調して前記選局部に与える再変調／復調回路部と、該再変調／復調回路部からの無線信号をアンテナを介して送信するとともに該アンテナを介して前記制御信号を受信する送受信回路部とから構成されたモジュールを、複数個並列に前記映像受信信号が入力される１つの入力端子に接続するとともに１つの筐体内に収めると良い。
【００２０】
このようにすると、複数の携帯して使用されるテレビジョン受像機や可動式のテレビジョン受像機に対応して、映像受信信号のチャンネル選局を無線で行えるとともに、複数のチャンネルの映像受信信号を復調した複数のチャンネルのデジタル信号を同時に無線で送信できる小型の映像受信チューナを実現することができる。
【００２１】
また、例えば、少なくとも１つの前記モジュールにより復調される映像受信信号の復調前の変調方式は、他の前記モジュールにより復調される映像受信信号の復調前の変調方式と異なると、複数の異なった変調方式で変調された映像受信信号を１台の映像受信チューナで同時に復調することができる。
【００２２】
また、例えば、前記再変調／復調回路部が前記デジタル復調回路部により復調されたデジタル信号を無線信号に変調する変調方式は、前記映像受信信号の復調前の変調方式と異なると、再送信される前記無線信号と放送されている映像受信信号との混信を防止できる。
【００２３】
また、例えば、前記再変調／復調回路部が前記デジタル復調回路部により復調されたデジタル信号を無線信号に変調する際に用いる搬送波の周波数帯は、２．４ＧＨｚ帯、若しくは、５ＧＨｚ帯であると、再変調された無線信号を効率よく送受信し得るアンテナとして非常に小型のアンテナを利用することができ、映像受信チューナを更に小型化することができる。
【００２４】
また、例えば、前記デジタル復調回路部と再変調／復調回路部とを１チップの集積回路で構成すると、映像受信チューナを更に小型化できる。
【００２５】
また、例えば、前記再変調／復調回路部が前記デジタル復調回路部により復調されたデジタル信号を無線信号に変調する際に用いる搬送波の周波数チャンネルは、前記デジタル復調回路部が選局した映像受信信号のチャンネルに応じた所定の周波数チャンネルであると、前記映像受信チューナを複数台設置した場合でも、複数の再変調された無線信号が混信することを防止できる。
【００２６】
また、例えば、前記映像受信チューナと該映像受信チューナに電源を供給する電源ユニットから成る映像受信装置にすると、携帯して使用されるテレビジョン受像機や可動式のテレビジョン受像機に対応するために、選局して復調したデジタル信号を無線で送信できるとともに、映像受信信号のチャンネル選局を無線で行うことのできる小型の映像受信装置が実現できる。
【００２７】
また、例えば、前記映像受信チューナと該映像受信チューナに電源を供給する電源ユニットを１つのケースに収めて成る映像受信装置において、前記ケースの１つの面を、映像受信信号が供給されるアンテナ端子が設けられた平面上に接触させたときに、前記アンテナ端子と前記映像受信チューナに映像受信信号を入力する入力端子とが嵌合するように、前記入力端子を前記ケースの１つの面上に設けると、映像受信信号を伝送するための前記入力端子とアンテナ端子間を接続するアンテナケーブルを無くすことができる。
【００２８】
また、例えば、前記入力端子とアンテナ端子とを嵌合させた状態で前記ケースを前記平面上に保持させる保持手段を設けると、アンテナ端子が設けられた部屋の壁面等に懸架した状態で使用できる映像受信装置が実現できる。
【００２９】
【発明の実施の形態】
以下に、本発明の実施形態を図面を参照して説明する。説明の便宜上、従来例の図７と同一の部分については同一の符号を付している。図１は、本発明の第１実施形態の映像受信チューナの電気的構成を示すブロック図である。図１において、１は映像受信チューナを示す。映像受信チューナ１は、Ｆ接線（入力端子）２、フロントエンド部３、デジタル復調回路部４、再変調回路部５、送信回路部６、アンテナ７から成り、フロントエンド部３、デジタル復調回路部４、再変調回路部５、送信回路部６は、１つの筐体に収められている。また、Ｆ接線２とアンテナ７は前記筐体の表面に装着されている。
【００３０】
上述したような、視聴する部屋に設けられたアンテナ端子にＦ接線２が接続され、ＱＰＳＫ（Ｑｕａｄｒａｔｕｒｅ  Ｐｈａｓｅ  Ｓｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などの変調方式で変調された映像受信信号が入力される。そして、Ｆ接線２に接続されたフロントエンド部３により、入力された映像受信信号が増幅され、その増幅された信号より予め設定されたチャンネルの信号が選局される。更に、デジタル復調回路部４により、フロントエンド部３からの選局された信号がベースバンドのデジタル信号に復調される。
【００３１】
そして、復調されたベースバンドのデジタル信号は、再変調回路部５に与えられ、再変調回路部５内のベースバンド処理ＩＣによって、再変調される。即ち、復調されたデジタル信号で２．４ＧＨｚ帯、または、５ＧＨｚ帯の搬送波（キャリア）を変調する。そして、この再変調されたデジタル信号は、送信回路６により、アンテナ７を介して無線信号として送信される。尚、再変調回路部５での変調方式を放送されている映像受信信号の変調方式と異なる変調方式にすることにより、再変調された無線信号と放送されている映像受信信号との混信が防止できる。
【００３２】
このように、デジタル復調回路部４で復調されたベースバンドのデジタル信号を、すぐに次の再変調回路部５に入力することで、デジタル信号の引き回しを効率的に行うことができ、また、デジタル信号の送信を無線で行うことにより、外部への伝送用信号線やコネクタが不要となるので、映像受信チューナ１のサイズ低減を図ることができる。尚、再変調する周波数帯域は、２．４ＧＨｚ帯、または、５ＧＨｚ帯の周波数帯域に限定するものではないが、これらの周波数帯域は日本国内において無線ＬＡＮシステムで一般的に利用されている周波数帯域であり、また、高周波なので、再変調された無線信号を効率よく送受信し得るアンテナとして非常に小型のアンテナを利用することができ、映像受信チューナ１を更に小型化することができる。
【００３３】
図２は、本発明の第２実施形態の映像受信チューナの電気的構成を示すブロック図である。図２において、図１と同一の部分には同一の符号を付し、その説明を省略する。図２に示す映像受信チューナ１は、Ｆ接線（入力端子）２、フロントエンド部３、デジタル復調回路部４、再変調／復調回路部８、送受信回路部９、アンテナ７から成り、フロントエンド部３、デジタル復調回路部４、再変調／復調回路部８、送受信回路部９は、１つの筐体に収められている。
【００３４】
フロントエンド部３は、Ｆ接線２からの映像受信信号を増幅する増幅部３ａと、増幅部３ａで増幅された信号から後述するデジタルチャンネル制御信号に基づいたチャンネルの信号を選局する選局部３ｂとから構成され、選局部３ｂで選局されたチャンネルの信号は、デジタル復調回路部４でベースバンドのデジタル信号に復調される。そして、復調されたベースバンドのデジタル信号は、再変調／復調回路部８に与えられ、再変調回路部８内のベースバンド処理ＩＣによって、再変調される。即ち、復調されたデジタル信号で２．４ＧＨｚ帯、または、５ＧＨｚ帯の搬送波（キャリア）を変調する。そして、この再変調されたデジタル信号は、送受信回路部９により、アンテナ７を介して無線信号として送信される。
【００３５】
また、送受信回路部９は、送信する無線信号と同方式で変調された制御信号をアンテナ７を介して受信する。この制御信号は、ユーザが所望するチャンネル選局のために外部より送信された信号であり、送受信回路部９で受信後、再変調／復調回路部８でチャンネル制御信号に復調され、フロントエンド部３の選局部３ｂに与えられる。選局部３ｂは、上述したように、この復調されたチャンネル制御信号に基づいたチャンネルの信号を選局する。このようにして、無線によりチャンネル選局ができる小型の映像受信チューナが実現できる。尚、チャンネル選局のための前記制御信号は、ユーザが有するリモコン等のチャンネル選局手段から無線送信されるようにしても良いし、映像を視聴するテレビジョン受像機を介して無線送信されるようにしても良い。
【００３６】
図３は、本発明の第３実施形態の映像受信チューナの電気的構成を示すブロック図である。図３において、図２と同一の部分には同一の符号を付し、その説明を省略する。図３に示す映像受信チューナ１が、図２に示す映像受信チューナ１と相違する点は、図２に示すデジタル復調回路部４と再変調／復調回路部８とが一体化された変復調回路部８ａが設けられている点である。
【００３７】
変復調回路部８ａは、図２に示すデジタル復調回路部４と再変調／復調回路部８の機能を併せ持つ１チップのＩＣである。図２に示すデジタル復調回路部４や再変調／復調回路部８のように、ベースバンド信号を処理するベースバンド処理部は一般的にＣＭＯＳロジック回路で構成されるので、受信側のベースバンドＩＣ（デジタル復調回路部）と再送信側のベースバンドＩＣ（再変調／復調回路部）を１チップ化したＩＣにすると、電源回路等の共通部分を１つにすることができ、小型化ができる。このように、１チップ化したＩＣである変復調回路部８ａにすることで、映像受信チューナ１を更に小型化することができる。
【００３８】
図４は、本発明の第４実施形態の映像受信チューナの電気的構成を示すブロック図である。図４において、図３と同一の部分には同一の符号を付し、その説明を省略する。図４に示す映像受信チューナ１が、図３に示す映像受信チューナ１と相違する点は、複数のフロントエンド部３と、それぞれのフロントエンド部３に接続された複数の変復調回路部８ａと、それぞれの変復調回路部８ａに接続された複数の送受信回路部９が設けられている点である。
【００３９】
複数のフロントエンド部３は、Ｆ接線２に並列に接続されており、Ｆ接線２に入力された映像受信信号はそれぞれのフロントエンド部３で増幅され、チャンネル選局される。そして、それぞれのフロントエンド部３からの選局された信号は、それぞれの変復調回路部８ａに与えられ、それぞれの変復調回路部８ａ内のデジタル復調回路部においてベースバンドのデジタル信号に復調され、同じ変復調回路部８ａ内の再変調／復調回路部で無線信号に再変調され、それぞれの送受信回路部９から共通のアンテナ７を介して無線送信される。このとき、それぞれのフロントエンド部３でのチャンネル選局は、それぞれの送受信回路部９で受信した制御信号をそれぞれの変復調回路部８ａ内の再変調／復調回路部で復調したそれぞれのチャンネル制御信号に基づいて行われる。
【００４０】
また、変復調回路部８ａ内の再変調／復調回路部において、復調されたデジタル信号を再変調する時に用いる搬送波（キャリア）は上述のように、２．４ＧＨｚ帯、または、５ＧＨｚ帯の搬送波を使用するが、各変復調回路部８ａ毎に前記帯域内の異なった周波数チャンネルを使用する。この周波数チャンネルは、フロントエンド部３で選局される映像受信信号のチャンネルに応じて予め設定された周波数チャンネルである。
【００４１】
このようにすることで、複数のチャンネルの映像受信信号を同時に再送信することができる。即ち、図４に示す映像受信チューナ１は、デジタル放送の狭い範囲での中継器として扱うことが可能であり、このような映像受信チューナ１をある一定の間隔で設置すれば、建物の中や地下街のようなデジタル放送を直接受信できない場所においても、複数チャンネルのデジタル放送を複数の携帯可能なテレビジョン受像機等のそれぞれで同時に視聴することができるようになる。このとき、設置される各映像受信チューナ１の選局チャンネルは同一になるように設定しておく必要がある。また、上述した選局チャンネルに応じて予め設定されている再変調された無線信号の周波数チャンネルも、各映像受信チューナ１で共通にしておく必要がある。
【００４２】
また、複数の変復調回路部８ａのそれぞれを異なった変調方式で放送される映像受信信号に対応させると、例えば、ＢＳデジタル放送、ＣＳデジタル放送、ＣＡＴＶ放送、地上波デジタル放送からの各映像受信信号をそれぞれ復調する複数の変復調回路部８ａを有すると、１つの映像受信チューナで複数の異なった変調方式のデジタル放送を同時に復調できる映像受信チューナが実現できる。
【００４３】
図５は、本発明の実施形態の映像受信装置の構成を示す斜視図である。図５において、図１〜図４と同一の部分には同一の符号を付している。図５において、１０は映像受信装置であり、映像受信装置１０は、図１〜図４に示したような映像受信チューナ１と映像受信チューナ１に電源を供給する電源ユニット１１がケース１２に収められた構成である。また、ケース１２の表面に映像受信チューナ１のＦ接線２とアンテナ７が装着されている。また、電源ユニット１１に商用電源を供給するために、電源コード１４が電源ユニット１１からケース１２の外部に引き出され、その先端にコンセントに接続するための電源プラグ１３が取り付けられている。
【００４４】
このような構成の映像受信装置１０は、コンセントから供給された商用電源が電源プラグ１３、電源コード１４を介して電源ユニット１１に与えられ、電源ユニット１１は映像受信チューナ１の動作に必要な電源を生成して映像受信チューナ１に供給する。そして、映像を視聴する部屋に設けられたアンテナ端子（不図示）に接続されたＦ接線２から映像受信信号が入力され、電源ユニット１１から電源を得た映像受信チューナ１は、上述のようにして、この映像受信信号から設定されたチャンネルを選局してデジタル信号に復調し、その後、復調したデジタル信号を再変調した無線信号をアンテナ７を介して送信する。
【００４５】
このような構成の映像受信装置１０は、映像受信信号をできる限りケーブルレスで配信するための装置であると言え、無線通信機能を持つ受像機専用のチューナ装置である。そのため、図５に示すように、映像受信チューナ１と電源ユニット１１のみで構成され、余計な機能が無いので小型にすることができ、設置時の占有面積を小さくすることができる。また、このように余計な機能を持つ部分が無く、取り分けてコントロールする部分も無いので、図６のように壁に埋め込んだタイプのアンテナ端子に直に接続するように設置して使うことも可能である。
【００４６】
図６は、本発明の実施形態の映像受信装置を、壁に埋め込んだタイプのアンテナ端子に直に接続するように設置して使う場合の位置関係を示す図である。図６において、図５と同一の部分には同一の符号を付し、その説明を省略する。図６において、１５は映像を視聴する部屋の壁に埋め込まれたアンテナ端子であり、１６はアンテナ端子１５の近傍に設置された商用電源を供給するためのコンセントである。
【００４７】
図６に示す映像受信装置１０は、壁に密着させて取り付けるタイプの映像受信装置であり、取り付けたときに壁と接触するケース面にＦ接線２をケース面より突出させて固設している。これにより、アンテナ端子１５とＦ接線２とが嵌合し、直に接触した状態で、映像受信装置１０を壁に密着させて取り付けることができる。そして、電源コード１４が届く範囲に設置されたコンセント１６に電源プラグ１３を接続することにより電源を得て映像受信装置１０を動作させることができる。尚、映像受信装置１０は、アンテナ端子１５とＦ接線２との嵌合により取り付けた壁に保持させることも可能であるが、ケースに取り付け穴等を設け、ボルト等で壁に固定させても良い。
【００４８】
このようにすると、映像受信信号を伝送するためのアンテナ端子１５とＦ接線２とを接続する同軸ケーブル等のアンテナケーブルが無くても、アンテナ端子１５とＦ接線２とを電気的に接続することができる。また、映像受信装置１１をアンテナ端子１５が設けられた壁面に懸架したまま使用できるので、部屋の床の占有面積を無くすことができる。
【００４９】
尚、本発明は、上述の実施形態に限定されるものではなく、本発明の趣旨を逸脱しない範囲において各部の構成等を適宜に変更して実施することも可能である。
【００５０】
【発明の効果】
以上のように、本発明によると、デジタル変調された映像受信信号を増幅し、その増幅した信号より１つのチャンネルの信号を選局するフロントエンド部と、該フロントエンド部で選局された信号を復調するデジタル復調回路部を有する映像受信チューナにおいて、前記デジタル復調回路部により復調されたデジタル信号を無線信号に変調する再変調回路部と、該再変調回路部からの無線信号をアンテナを介して送信する送信回路部を、前記フロントエンド部とデジタル復調回路部とともに１つの筐体内に設けたので、前記デジタル信号を無線で送信するための無線送受信機を新たに設ける必要がなく、前記デジタル信号の引き回しを最小限に抑えた上で無線送信できるので、携帯して使用されるテレビジョン受像機や可動式のテレビジョン受像機に対応した映像受信チューナを小型化することができる。
【００５１】
また、本発明によると、前記映像受信チューナと該映像受信チューナに電源を供給する電源ユニットを１つのケースに収めて成る映像受信装置において、前記映像受信チューナに映像受信信号を入力する入力端子を、平面上に設けられた映像受信信号を供給するアンテナ端子と嵌合するように前記ケース表面に設けたので、映像受信装置を小型化できるとともに、前記アンテナ端子と映像受信チューナ間を接続する映像受信信号を伝送するためのアンテナケーブルを無くすことができる。
【図面の簡単な説明】
【図１】は、本発明の第１実施形態の映像受信チューナの電気的構成を示すブロック図である。
【図２】は、本発明の第２実施形態の映像受信チューナの電気的構成を示すブロック図である。
【図３】は、本発明の第３実施形態の映像受信チューナの電気的構成を示すブロック図である。
【図４】は、本発明の第４実施形態の映像受信チューナの電気的構成を示すブロック図である。
【図５】は、本発明の実施形態の映像受信装置の構成を示す斜視図である。
【図６】は、本発明の実施形態の映像受信装置の使用時の位置関係を示す図である。
【図７】は、従来の映像受信チューナの電気的構成を示すブロック図である。
【符号の説明】
１    映像受信チューナ
２    Ｆ接線（入力端子）
３    フロントエンド部
３ａ    増幅部
３ｂ    選局部
４    デジタル復調回路部
５    再変調回路部
６    送信回路部
７    アンテナ
８    再変調／復調回路部
８ａ    変復調回路部
９    送受信回路部
１０    映像受信装置
１１    電源ユニット
１２    ケース
１３    電源プラグ
１４    電源コード
１５    アンテナ端子
１６    コンセント
【図１】
2005039395.tif 000003
【図２】
2005039395.tif 000004
【図３】
2005039395.tif 000005
【図４】
2005039395.tif 000006
【図５】
2005039395.tif 000007
【図６】
2005039395.tif 000008
【図７】
2005039395.tif 000009